(57)【要約】【課題】一つのタッチ入力部から複数の入力信号を発生させることができ、しかも構成も簡単となるようにする。【解決手段】タッチ入力部２１は、手指の接触位置を任意に変更できる長さの接触領域を有する。検知電極２９は、インピーダンス素子３０を直列状に接続した形態であって前記タッチ入力部２１における手指接触位置に対応する部分で静電容量結合するものである。タッチ位置検知回路２７は、タッチ入力部２１に対する手指の接触位置を、検知電極２９の当該接触位置によるインピーダンス変化により検知可能な構成である。制御回路２５はこのタッチ位置検知回路２７からの信号により誘導加熱コイル８を制御する。【選択図】図１
2007335288.tif 000002
【特許請求の範囲】
【請求項１】
上面の開口にトッププレートを備えると共に、このトッププレートの下方に加熱手段を備え、キッチンキャビネットに組み込まれる調理器本体と、
前記トッププレートの上面に設けられ、手指の接触位置を任意に変更できる長さの接触領域を有するタッチ入力部と、
インピーダンス素子を直列状に接続した形態であって前記タッチ入力部における手指接触位置に対応する部分で静電容量結合する検知電極と、
前記タッチ入力部に対する手指の接触位置を、前記検知電極の当該接触位置によるインピーダンス変化により検知可能な操作位置検知手段と、
この操作位置検知手段からの信号により前記加熱手段を制御する制御手段とを備えたことを特徴とする加熱調理器。
【請求項２】
操作位置検知手段は、検知電極の両端に発振出力を供給する発振回路と、該検知電極の両端出力をそれぞれ信号処理する二つの接触検知手段とを備え、この両接触検知手段の出力の比によりタッチ入力部における手指の接触位置を検出する構成であることを特徴とする請求項１記載の加熱調理器。
【請求項３】
操作位置検知手段は、検知電極に接続された充放電回路を備え、この充放電回路の所定出力の継続時間によりタッチ入力部における接触位置を検出する構成であることを特徴とする請求項１記載の加熱調理器。
【請求項４】
調理器本体は、該調理器本体の開口の縁部に、前記キッチンキャビネットの開口縁部に配置され且つトッププレート周縁部を支えるフランジ部を有する構成であり、
タッチ入力部を前記フランジ部の上方に位置するように設けた構成としたことを特徴とする請求項１ないし３のいずれかに記載の加熱調理器。
【請求項５】
検知電極を基板に形成し、この基板に操作位置検知手段を構成する部品を実装したことを特徴とする請求項１ないし３のいずれかに記載の加熱調理器。
【請求項６】
トッププレート上面に加熱強度表示部が設けられ、検知電極をこの加熱強度表示部と対応させて配置したことを特徴とする請求項１ないし３のいずれかに記載の加熱調理器。
【請求項７】
検知電極は高抵抗部材から構成したことを特徴とする請求項１ないし３のいずれかに記載の加熱調理器。
【請求項８】
トッププレートの上面に設けられ、手指が接触する単一タッチ入力部と、
この単一タッチ入力部に手指が接触したことを、当該接触に起因する容量変化により検知する操作検知手段とを備え、
制御手段は、この操作位置検知手段からの信号に加え、この操作検知手段からの信号により前記加熱手段を制御することを特徴とする請求項１ないし７に記載の加熱調理器。
【発明の詳細な説明】
【技術分野】
【０００１】
本発明は、トッププレート上にタッチ入力部を備えた加熱調理器に関する。
【背景技術】
【０００２】
従来、加熱調理器において、トッププレート上にタッチ入力部を備えたものとして、例えば特許文献１、２に示されるものがある。これら特許文献１、２には、一つのタッチ入力部に対して一つの検知電極を備えると共に、一つの接触検知手段を備えた構成である。この構成では、ユーザーの手指が前記タッチ入力部に触れると、検知電極の対人体検知容量（静電容量）が変化し、この変化を接触検知手段で検知することによりユーザーから入力があったことを検知する。
【特許文献１】特開２００３−１２３５４号公報
【特許文献２】特開２００５−３８７３９号公報
【発明の開示】
【発明が解決しようとする課題】
【０００３】
上記従来のものでは、一つのタッチ入力部に対して一つの検知電極と接触検知手段とが必要で、例えば多数種類のタッチ入力信号を必要とする場合、多数のタッチ入力部に対して多数の検知電極及び接触検知手段が必要であった。すなわち、複数種類のタッチ入力信号を得るには、タッチ入力部の個数もその複数種類分は必要で、これに追随して、検知電極及び接触検知手段の個数もその複数種類分は必要で、電気的構成が複雑であり、また接触検知手段相互の配設も密となり絶縁性が問題となる。特に、加熱調理器において、加熱強度を段階的に設定する場合、その段階数のタッチ入力部、検知電極及び接触検知手段が必要で、構成が複雑で且つ絶縁性も配慮する必要があった。
【０００４】
本発明は上述の事情に鑑みてなされたものであり、その目的は、一つのタッチ入力部から複数の入力信号を発生させることができ、しかも構成も簡単となる加熱調理器を提供することにある。
【課題を解決するための手段】
【０００５】
上記目的を達成するために、請求項１の発明は、上面の開口にトッププレートを備えると共に、このトッププレートの下方に加熱手段を備え、キッチンキャビネットに組み込まれる調理器本体と、前記トッププレートの上面に設けられ、手指の接触位置を任意に変更できる長さの接触領域を有するタッチ入力部と、インピーダンス素子を直列状に接続した形態であって前記タッチ入力部における手指接触位置に対応する部分で静電容量結合する検知電極と、前記タッチ入力部に対する手指の接触位置を、前記検知電極の当該接触位置によるインピーダンス変化により検知可能な操作位置検知手段と、この操作位置検知手段からの信号により前記加熱手段を制御する制御手段とを備えたところに特徴を有する。
【０００６】
この請求項１の発明によれば、タッチ入力部が、手指の接触位置を任意に変更できる長さの接触領域を有するように形成され、検知電極が、インピーダンス素子を直列状に接続した形態であって前記タッチ入力部における手指接触位置に対応する部分で静電容量結合するから、ユーザーの手指がタッチ入力部の接触領域のうちの適宜部位に接触すると、操作位置検知手段が、該タッチ入力部に対する手指の接触位置を、前記検知電極におけるインピーダンス変化により検知する。従って、ユーザーが、タッチ入力部に対する接触位置を変更すれば、その各接触位置に応じた接触位置検知結果をもって複数種類の入力信号とすることでき、この結果、一つのタッチ入力部から複数の入力信号を発生させることができ、しかも構成も簡単となる。
【発明の効果】
【０００７】
本発明によれば、一つのタッチ入力部から複数の入力信号を発生させることができ、しかも構成も簡単となる加熱調理器を提供できる。
【発明を実施するための最良の形態】
【０００８】
以下、本発明をシステムキッチンに組み込まれる加熱調理器に適用した第１の実施例を図１〜図８を参照しながら説明する。図３には、キッチンキャビネット１に、加熱調理器２が組み込まれた状態の外観斜視図が示されている。また、図４は、トッププレートを外した状態で示す調理器本体３の平面図である。加熱調理器２の調理器本体３は、キャビネット１に設けられた開口４に落とし込み状態に組み込まれている。この調理器本体３の下部には、ロースタ部５が設けられている。
【０００９】
前記調理器本体３は、図４に示すように、上面が開口しており、内部の手前側に加熱手段としての二つの誘導加熱コイル８、９が設けられ、また中央奥部に別の加熱手段として例えばラジエントヒータからなるヒータ１０が設けられている。また、この調理器本体３内には、主回路基板１１が配設されており、この主回路基板１１には、図１、図５及び図６にも示すように、多数の加熱強度表示用の発光ダイオード１２が実装されていると共に、例えば蛍光表示管からなる表示器１３が実装され、さらに板ばねからなる接続端子１４が立設状態に実装されている。
【００１０】
図１及び図４に示すように、前記調理器本体３の開口３ａの周縁部にはフランジ部１５が設けられており、このフランジ部１５が前記キャビネット１の開口４の縁部に配置されている。
さらに、図４ないし図６に示すように、前記調理器本体３の上面には、開口３ａを覆うように、つまり前記誘導加熱コイル８、９及びヒータ１０を上方から覆うように、耐熱ガラス製のトッププレート１６が設けられている。この場合、このトッププレート１６の周縁部１６ａは前記フランジ部１５により支えられている。このトッププレート１６において、左右の誘導加熱コイル８、９及びヒータ１０の上方に対応する部位はそれぞれ円形の加熱部１７、１８、１９とされている。表示部１７ａ、１８ａ、１９ａの内部領域が加熱部１７、１８、１９に相当する。
【００１１】
前記トッププレート１６において、加熱部１７、１８の前側には、前記発光ダイオード１２に対応して加熱強度表示部２０（図５参照）が形成されている。
さらに、このトッププレート１６の前縁部部分には、図５に示すように、前記加熱部１７の前方に位置して誘導加熱コイル８制御のためのタッチ入力部２１、単一タッチ入力部２２ないし２４が設けられている。タッチ入力部２１は加熱強度ダウン設定用、単一タッチ入力部２２は加熱モード設定用、単一タッチ入力部２３は電源オン用、単一タッチ入力部２４は電源オフ用である。タッチ入力部２１は、手指の接触位置を任意に変更できる長さの接触領域を有する形態に、つまり長尺形態に、トッププレート１６上に印刷膜により形成されている。単一タッチ入力部２２ないし２４も、トッププレート１６上に印刷膜により形成されている。前記加熱モード設定用の単一タッチ入力部２２は、通常加熱、天ぷら、炊飯などの調理に適した加熱モードを設定するためのものである。
【００１２】
誘導加熱コイル８に関する概略的な電気的構成を示す図１において、前記タッチ入力部２１に関連する構成について説明する。制御手段である制御回路２５はマイクロコンピュータを含んで構成されている。この制御回路２５には、インバータ制御回路２６及び操作位置検知手段たるタッチ位置検知回路２７が接続されている。前記インバータ制御回路２６は、誘導加熱コイル８に高周波電流を供給するインバータ２８を制御する。
【００１３】
前記タッチ位置検知回路２７は、検知電極２９と、発振回路３３と、接触検知回路３４、３５とを含んで構成されている。前記検知電極２９は、図７及び図８にも示すように、インピーダンス素子３０を接続導体３１を介して直列に接続して構成されている。このインピーダンス素子３０及び接続導体３１は、トッププレート１６下面に設けた基板３２に形成されている。すなわち、基板３２の下面には、複数のインピーダンス素子３０が複数の接続導体３１の接続部３１ａに接続された形態に形成されている。この接続部３１ａには前方（図７の左方）へ延びる延出部３１ｂが形成され、この延出部先端にスルーホール３１ｃが形成され、基板３２の上面にスルーホール３１ｃを介して延出部３１ｂひいては接続部３１ａと導通する入力電極部３１ｄが形成されている。
【００１４】
すなわち、入力電極部３１ｄはトッププレート１６の下面に接触して設けられ、接続部３１ａ及び延出部３１ｂはトッププレート１６下方であってトッププレート１６下面から離れた位置に設けられている。基板３２の下面に前記インピーダンス素子３０を設けたから、該インピーダンス素子３０の配置スペースがあり、該インピーダンス素子３０を形成しやすい。また、鍋や人の手指がインピーダンス素子３０に対向するトッププレート１６上面に触れても誤検知しにくい。
【００１５】
この入力電極部３１ｄは前記タッチ入力部２１の下方部に均等間隔で位置する。そして、この入力電極部３１ｄとタッチ入力部２１とは、タッチ入力部２１に対する人体の手指の接触により該タッチ入力部２１の手指接触位置に対応する入力電極部が静電容量結合するものである（人体の静電容量を介してアースに接続される）。この場合、この入力電極部３１ｄとタッチ入力部２１とはトッププレート１６を間に存して対向した位置関係である。さらに、検知電極２９は、図５に示すようにこの加熱強度表示部２０と対応させて配置されている。
【００１６】
また、前記発振回路３３は、前記検知電極２９の両端に、コンデンサ３６、３７を介して発振出力を供給するように接続されている。接触検知手段たる接触検知回路３４、３５は前記検知電極２９の両端出力をそれぞれ信号処理するものであり、ダイオード３８と、抵抗３９とチャージコンデンサ４０とを有した構成である。接触検知回路３４の入力端子であるダイオード３８のアノードは検知電極２９の一方の端子に前記接続端子１４を介して接続され、カソードとアースとの間に前記抵抗３９とチャージコンデンサ４０とが並列に接続され、出力端子であるカソードとチャージコンデンサ４０の接続点が前記制御回路２５に接続されている。
【００１７】
別の接触検知回路３５は上記接触検知回路３４と同じ構成であり、該接触検知回路３５の入力端子は前記検知電極２９の他方の端子２９ｂに接続端子１４を介して接続され、出力端子は前記制御回路２５に接続されている。前記検出電極２９は前記加熱強度表示部２０と対応させて設けてあり、各入力電極部３１ｄは、図５に示すように、左側のものから右側へ、順次、加熱強度が高くする設定となっている。
【００１８】
単一タッチ入力部２２ないし２４に対応して、それぞれ図１に示す操作検知回路（操作検知手段）２２Ａないし２４Ａが設けられている。操作検知回路２２Ａないし２４Ａは、同じ構成であり、従って、操作検知回路２２Ａを代表して説明する。この操作検知回路２２Ａはコンデンサ４１と、検知電極４２と、接触検知回路４３とを有して構成されている。前記発振回路３３の発振出力は前記コンデンサ４１、検知電極４２及び接続端子１４を介して接触検知回路４３の入力端子に与えられるようになっている。
【００１９】
この接触検知回路４３の出力は前記制御回路２５に与えられる。前記検知電極４２は、前記基板３２に前記接続導体３１と同様に形成されている。すなわち、この検知電極４２は、図５に示す導体本体部４２ａ及び延出部４２ｂがトッププレート１６裏面から離れた位置である基板３２の下面に形成され、この延出部４２ｂの先端が図示しないスルーホールが形成され、基板３２の上面に該スルーホールを介して延出部４２ｂと導通する入力導体部４２ｃが形成されている。この入力導体部４２ｃが単一タッチ入力部２２とトッププレート１６を間に存して対向している。
【００２０】
前記構成のタッチ位置検知回路２７の動作について、説明する。発振回路３３の出力電流は、一方の接触検知回路３４のコンデンサ３６、ダイオード３８を介してチャージコンデンサ４０を充電する。チャージコンデンサ４０の電圧、つまり接触検知回路３４の出力信号である出力電圧３４ｖは、前記制御回路２５に入力されるようになっている。同様に発振回路３３の出力電流は、他方の接触検知回路３５に与えられ、この接触検知回路３５が接触検知回路３４と同様に動作して出力電圧３５ｖを制御回路２５に入力する。
【００２１】
ここで、ユーザーが例えばタッチ入力部２１における図１及び図５におけるＰ部分（加熱強度が低い部分に対応）に手指を接触させると、当該Ｐ部分に対応する入力電極部（符号３１ｄ´で示す）が人体による静電容量結合を介してアース側に電流がながれるため、当該入力電極部を分岐点として検知電極２９のインピーダンス比が異なり、この結果、前記一方の接触検知回路３４の出力電圧３４ｖと他方の接触検知回路３５の出力電圧３５ｖとは、図２（ｂ）、（ｃ）に示すように変化する。制御回路２５は、この場合の出力電圧３４ｖの変化量Δ３４ｖ（＝３４ｖａ−３４ｖｂ）と、出力電圧３５ｖの変化量Δ３５ｖ（＝３５ｖａ−３５ｖｂ）との比（Δ３４ｖ／Δ３５ｖ）によりユーザーの手指の接触位置、つまり加熱強度の設定強度を判定する。この判定手段としての機能は制御回路２５が有する。そして制御回路２５は、この判定結果に応じてインバータ制御回路２６及びインバータを介して誘導加熱コイル８を制御する。
【００２２】
この場合、手指が隣り合う入力電極部３１ｄの双方にかかる位置でタッチ入力部２１に接触しても検知電極２９のインピーダンス比はその位置に応じて決定されるから、入力電極部３１ｄの間隔は狭くても何ら差し支えがない。また、いわゆる摺動抵抗などを用いる構成と違って、摺動操作が必要ではなく、直接、設定しようとする位置に手指を接触させると、ダイレクトに所望に設定できる。なお、入力電極部３１ｄの一端から他端方向へ摺接して所望の位置で止める操作もできるものである。
【００２３】
なお、単一タッチ入力部２２ないし２４にユーザーが手指を接触させると、各単一タッチ入力部２２ないし２４に対応する操作検知回路２２Ａないし２４Ａの各接触検知回路４３が接触検知信号を出力して制御回路２５に与えるものである。そして制御回路２５は、この接触検知信号つまり単一入力信号に応じてインバータ制御回路２６及びインバータを介して誘導加熱コイル８を制御する。
【００２４】
このように本実施例によれば、タッチ入力部２１が、手指の接触位置を任意に変更できる長さの接触領域を有するように形成され、検知電極２９が、インピーダンス素子３０を直列状に接続した形態であって前記タッチ入力部２１における手指接触位置に対応する部分で静電容量結合するから、ユーザーの手指がタッチ入力部２１の接触領域のうちの適宜部位に接触すると、タッチ位置検知回路２７が、該タッチ入力部２１に対する手指の接触位置を、前記検知電極２９の当該接触位置によるインピーダンス変化により検知する。従って、ユーザーが、タッチ入力部２１に対する接触位置を変更すれば、その各接触位置に応じた接触位置検知結果をもって複数種類の入力信号とすることでき、この結果、一つのタッチ入力部２１から複数の入力信号を発生させることができ、しかも構成も簡単となる。
【００２５】
特に本実施例によれば、タッチ位置検知回路２７を、検知電極２９の両端に発振出力を供給する発振回路３３と、該検知電極２９の両端出力をそれぞれ信号処理する二つの接触検知回路３４、３５とを備え、この両接触検知回路３４、３５の出力の比によりタッチ入力部２１における手指の接触位置を検出する構成としたから、ユーザーの衣服や靴や手指の状態によって絶対的な絶縁抵抗が異なる場合でも、手指の接触位置を確実に検出することができる。つまり、一つの接触検知回路のみを備えた場合、ユーザーの絶対的絶縁抵抗が変わると、接触検知回路の出力も変化してしまい、ユーザーの接触位置を誤検知するおそれがあるが、本実施例では、そのようなことはない。
【００２６】
また、本実施例によれば、調理器本体３はその開口３ａの縁部に、キッチンキャビネット１の開口４縁部に配置され且つトッププレート１６周縁部１６ａを支えるフランジ部１５を有する構成とし、タッチ入力部２１をこのフランジ部１５の上方に位置させる構成としたから、このタッチ入力部２１を加熱部１７から離すことができ、ユーザーが操作時に鍋などの調理器に触れるおそれがなく、安全である。
さらに本実施例によれば、検知電極２９を加熱強度表示部２０と対応させて配置したから、ワンタッチで加熱強度を設定できる。また、タッチ入力部２１と加熱強度表示部２０とが対応しているので、加熱強度の設定も分かりやすく、操作性が良い。
【００２７】
また、本実施例によれば、トッププレート１６の上面に、手指が接触する単一タッチ入力部２２ないし２４を設け、この単一タッチ入力部２２ないし２４に手指が接触したことを、当該接触に起因する容量変化により検知する操作検知回路２２Ａないし２４Ａを設け、制御回路２５が、前記タッチ位置検知回路２７からの信号に加え、この操作検知回路２２Ａないし２４Ａからの信号により誘導加熱コイル８を制御するようにしたから、単独で独立した内容の入力設定を行うこともできる。つまり、タッチ入力部２１では、入力内容として加熱強度の複数レベルの選択という同じカテゴリーの入力内容であるが、単一タッチ入力部２２ないし２４は、それぞれ異なるカテゴリーの入力内容を設定するのに好適し、もって入力のバリエーションを増加させることができる。
【００２８】
次に図９は本発明の第２の実施例を示すものであり、この第２の実施例では、検知電極５１にインピーダンス素子が直列状に接続された部材としてカーボン印刷抵抗体などの高抵抗部材５２を備えた点が第１の実施例と異なる。この場合、この高抵抗部材５２の適宜箇所に入力電極部３１ｄを接続している。この第２の実施例においても、第１の実施例と同様の効果を奏するのに加え、検知電極の構成の簡単化を図ることができる。
なお、図９では、入力電極部３１ｄと高抵抗部材５２とを別々に形成したが、高抵抗部材５２を入力電極部とする構成としても良い。また高抵抗部材（カーボン印刷抵抗体）はトッププレート１６裏面に直接印刷しても良い。
【００２９】
また、図１０は本発明の第３の実施例を示し、タッチ位置検知回路６１の構成が第１の実施例と異なる。このタッチ位置検知回路６１は、検知電極としてのインピーダンス素子を複数に接続した（無段に接続した）形態のカーボン印刷抵抗体などの高抵抗部材６２と、充放電回路６３と、容量計測回路６４と、充放電制御回路６５と、継続時間カウント回路６６とを備えて構成されている。充放電回路６３はコンデンサ６７、抵抗６８とコンデンサ６９と、スイッチング素子７０、７１とを同図に示すように接続してなる。前記高抵抗部材６２の一端部は、抵抗７２を介してこの充放電回路６３に接続されている。
【００３０】
この充放電回路６３のスイッチング素子７０を所定時間オン（スイッチング素子７１はオフ）制御することによりコンデンサ６９に充電し（図１１制御Ａ）、スイッチング素子７１をオン（スイッチング素子７０はオフ）することにより放電する。この放電時には所定時間間隔で放電を瞬時停止することを繰り返す（制御Ｂ）。この制御Ａと制御Ｂとは逐次交互に実行される。容量計測回路６４は上記制御Ｂの放電停止時の各タイミングｔａで前記コンデンサ６９の端子電圧Ｖｃの分圧電圧Ｖａを測定するためのものであり、比較回路７３と、定電圧回路７４とカウンタ７５とを図示のように接続して構成されている。分圧電圧Ｖａは、端子電圧Ｖｃのコンデンサ６７の容量Ｃｒとユーザー容量Ｃｘとによる分圧である。前記端子電圧Ｖａは前記比較回路７３の一方の入力端子（＋）に与えられ、定電圧回路７４の基準電圧Ｖｋが他方の入力端子（−）に与えられる。このとき前記タイミングｔａにおいて、前記端子電圧Ｖａが基準電圧Ｖｋを上回ったことをカウントする。このカウント値Ｑは放電の継続時間と等価であり、例えば、タッチ入力部２１に対してユーザーが非接触であるときには、図１２のカウント値Ｑａを示し、タッチ入力部２１に対してユーザーが接触したときには、接触位置によるインピーダンスに応じたカウント値Ｑｘを示す。このカウント値の比（＝Ｑａ／Ｑｘ）によりタッチ入力部２１における接触位置を検出する。
【００３１】
また、上述した抵抗７２、充放電回路６３、容量計測回路６４、充放電制御回路６５、継続時間カウント回路６６は、前記高抵抗部材６２の他端部側にも対象的に設けられており、この対象構成の両継続時間カウント回路６６から出力される両カウント値Ｑの比により正確な接触位置を検出することができる。また、分圧電圧Ｖａの検出を継続時間カウント回路６６によりデジタル式に検出できるから、高精度の検出ができる。また、平滑回路がないので、回路の応答性が良く、タッチ検知応答を早くできる。
【００３２】
なお、上記実施例では、操作位置検知手段たるタッチ位置検知回路２７を構成する部品を主回路基板１１に実装する構成としたが、検知電極２９を形成してある基板３２に、この部品を実装するように構成しても良い。このようにすると、検知電極２９から、タッチ位置検知回路２７を構成する部品への配線を短くできると共に、回路を簡単化できる。
その他、本発明は、上記実施例に限定されるものではなく、要旨を逸脱しない範囲内で種々変更して実施することが可能である。例えば、検知電極の形成方法についても種々変更しても良い。
【図面の簡単な説明】
【００３３】
【図１】本発明の第１の実施例を示し、誘導加熱コイルに関する電気的構成のブロック図
【図２】（ａ）は接触の有無状況を示し、（ｂ）は接触検知回路３４の出力電圧を示し、（ｃ）は接触検知回路３５の出力電圧を示す図
【図３】加熱調理器をキッチンキャビネットに組み込んで示す斜視図
【図４】トッププレートを省略して示す平面図
【図５】入力部部分の平面図
【図６】加熱調理器のタッチ入力部部分の縦断側面図
【図７】同平面図
【図８】タッチ入力部部分の基板部分の拡大縦断側面図
【図９】本発明の第２の実施例を示す図１相当図
【図１０】本発明の第３の実施例を示すタッチ位置検知回路の回路構成図
【図１１】充放電タイミングとコンデンサ電圧との関係を示す図
【図１２】非接触時におけるコンデンサ電圧変化と接触時におけるコンデンサ電圧変化を示す図
【符号の説明】
【００３４】
図面中、１はキッチンキャビネット、２は加熱調理器、３は調理器本体、８、９は誘導加熱コイル（加熱手段）、１０はヒータ（加熱手段）、１６はトッププレート、１７、１８、１９は加熱部、２０は加熱強度表示部、２１はタッチ入力部、２２ないし２４は単一タッチ入力部、２２Ａないし２４Ａは操作検知回路（操作検知手段）、２５は制御回路（制御手段）、２７はタッチ位置検知回路（操作位置検知手段）、２９は検知電極、３０はインピーダンス素子、３１は接続導体、３１ｄは入力電極部、３２は基板、３４、３５は接触検知回路（接触検知手段）、５１は検知電極、５２は高抵抗部材、６１はタッチ位置検知回路、６２は高抵抗部材、６３は充放電回路を示す。
【図１】
2007335288.tif 000003
【図２】
2007335288.tif 000004
【図３】
2007335288.tif 000005
【図４】
2007335288.tif 000006
【図５】
2007335288.tif 000007
【図６】
2007335288.tif 000008
【図７】
2007335288.tif 000009
【図８】
2007335288.tif 000010
【図９】
2007335288.tif 000011
【図１０】
2007335288.tif 000012
【図１１】
2007335288.tif 000013
【図１２】
2007335288.tif 000014